(57)【要約】【課題】  健康指導者が少人数の場合であっても、多人の健康指導対象者に対する個々の健康指導を常に適切なタイミングで行うことが可能な健康管理支援システムを提供する。【解決手段】  健康指導対象者の健康情報を収集して蓄積する手段１３，１４と、この蓄積された健康情報を保健師等の健康指導者や健康指導対象者が参照可能とする健康情報参照手段１５と、健康指導者が健康指導内容を登録する健康指導内容登録手段１６と、健康指導対象者が上記健康指導内容を参照可能とする健康指導内容参照手段１７と、健康指導対象者の健康度に応じて健康指導者が健康指導を行うべき適切なタイミングを決定する健康指導タイミング決定手段１８と、こうして決定されたタイミングに応じて健康指導者に対して健康指導を行うべき旨を通知する健康指導タイミング通知手段１９とを備える。【選択図】        図１
2006235938.tif 000002
【特許請求の範囲】
【請求項１】
健康指導対象者の生体情報測定データ、健康診断データ、生活習慣データ等の健康情報を収集して蓄積する手段と、この蓄積された健康情報を保健師等の健康指導者や健康指導対象者が参照可能とする健康情報参照手段と、上記健康指導者が健康指導対象者に対する健康指導内容を登録する健康指導内容登録手段と、上記健康指導対象者が上記健康指導内容を参照可能とする健康指導内容参照手段と、上記健康指導対象者の健康度に応じて健康指導者が健康指導を行うべき適切なタイミングを決定する健康指導タイミング決定手段と、この決定されたタイミングに応じて健康指導者に対して健康指導を行うべき旨を通知する健康指導タイミング通知手段と、を備えることを特徴とする健康管理支援システム。
【請求項２】
上記健康指導タイミング決定手段は、上記健康指導対象者の蓄積された健康情報と、健康度の標準的な目安として設定された基準値との差分に基づいて次回に健康指導を行うタイミングを決定するものである、ことを特徴とする請求項１記載の健康管理支援システム。
【請求項３】
上記健康指導対象者の蓄積された健康情報に基づいて健康状態を評価点数等によって指標化した健康度を算出する健康度算出手段を備え、上記健康指導タイミング決定手段は、この健康度算出手段で算出された健康度に基づいて次回に健康指導を行うタイミングを決定するものである、ことを特徴とする請求項１記載の健康管理支援システム。
【請求項４】
上記健康度算出手段で算出された健康度から疾病リスクを算出する疾病リスク算出手段を備え、上記健康指導タイミング決定手段は、この疾病リスク算出手段で算出された疾病リスクに基づいて次回に健康指導を行うタイミングを決定するものである、ことを備えることを特徴とする請求項１記載の健康管理支援システム。
【請求項５】
上記健康指導対象者の健康情報に関する異常検知閾値を設定する異常検知閾値設定手段と、日々収集される健康指導対象者の健康情報が上記異常検知閾値を超えるか否かを監視する健康情報監視手段と、この健康情報監視手段で健康情報が異常検知閾値を超えていることが検知された場合には、これに応じて異常値と正常値との乘離に基づいて健康指導の緊急度を算出する健康指導緊急度算出手段と、この健康指導緊急度算出手段で算出された緊急度に応じて上記健康指導タイミング決定手段で決定された健康指導のタイミングを早めるよう調整する健康指導タイミング調整手段と、を備えることを特徴とする請求項１ないし請求項４のいずれか１項に記載の健康管理支援システム。
【請求項６】
健康指導対象者の健康情報に関する異常検知閾値を設定する異常検知閾値設定手段と、日々収集される健康指導対象者の健康情報が異常検知閾値以下に低下して正常域まで回復したか否かを検知する異常解消検知手段と、この異常解消検知手段で健康情報が正常域まで回復したことが検知された場合には、これに応じて異常値と正常値との乘離に基づいて健康指導の緊急度を算出する健康指導緊急度算出手段と、この健康指導緊急度算出手段で算出された緊急度に応じて上記健康指導タイミング決定手段で決定された健康指導のタイミングを遅らせるよう調整する健康指導タイミング調整手段と、を備えることを特徴とする請求項１ないし請求項５のいずれか１項に記載の健康管理支援システム。
【請求項７】
上記健康指導タイミング決定手段で決定された健康指導のタイミングが重複する場合に健康指導対象者の健康度、疾病リスク、健康指導の緊急度の内の少なくとも一つの要素の度合いに応じて健康指導対象者の優先度付けを行う健康指導対象者優先度付け手段と、この優先度付けされた順に健康指導対象者を健康指導対象者リストに登録する健康指導対象者リスト登録手段とを備え、かつ上記健康指導タイミング通知手段は、上記健康指導対象者リストの内容を健康指導者に通知するものである、ことを特徴とする請求項１ないし請求項６のいずれか１項に記載の健康管理支援システム。
【発明の詳細な説明】
【技術分野】
【０００１】
本発明は、ネットワークを介して一般の健康指導対象者の健康情報を収集、蓄積、管理を行い、健康指導対象者に対して健康情報の収集促進や健康増進活動の継続を支援するために、保健師等の健康指導者が効率的かつ適切な健康指導を行うための健康管理支援システムに関する。
【背景技術】
【０００２】
従来、この種の健康指導支援システムとして、定期健康診断データ、問診データ、毎日の食生活や運動生活といった生活状況データをそれぞれ入力し、上記の定期健康診断データと問診データとから生活習慣改善目標値を算出し、また、上記の生活状況データや問診データに基づいて食事の摂取カロリー、栄養素の摂取量、および各種運動の消費カロリーを求め、さらに生活状況データに基づいて食生活と運動生活における生活習慣改善メニューを作成し、毎日の生活習慣状態の変化と生活習慣改善目標値の変化とを画像出力または帳票出力するようにしたものが提案されている（例えば特許文献１参照）。
【０００３】
さらに、従来のこの種の健康管理システムとして、利用者のバイタルサインを利用して、各利用者の状態を、正常、やや異常だが治療するには至らない、治療すべき異常といった３段階の健康レベルに振り分け、それぞれの健康レベルに応じた健康管理手段を日常的に適用するため、利用者の生活改善を行って異常を解消したり、健康増進を図る上において効率的なサービス運用を行うようにしたものが提案されている（例えば、特許文献２参照）。
【０００４】
【特許文献１】特開平７―１７５４０４号公報
【特許文献２】特開２００２−１０９０６８号公報
【発明の開示】
【発明が解決しようとする課題】
【０００５】
ところで、上記の特許文献１に示された健康管理システムでは、定期健康診断データと問診データから生活改善メニューを作成し、その生活改善メニューと生活状況データをもとに、改善メニューに対応した実績を画像や帳票出力で示すものであるが、サービス提供者が利用者を管理しようとする場合、生活改善メニューの性格上、各メニューが個人毎に細かく異なるので、これに併せてサービス側の対応も細かくならざるをえず、対応が煩雑となって効率的な運用ができないという課題があった。
【０００６】
また、上記の特許文献２に示された健康管理システムでは、利用者の状態を３段階に振り分け、それぞれに応じた健康管理手段を日常的に適用し、健康指導対象者の生活改善を行って異常を解消したり、効率的なサービス運用を行うものであるが、健康指導対象者毎の健康指導について、どの時期に指導を行えば適切であるかといった指導時期の頻度について十分な配慮がなされていない。
【０００７】
すなわち、本来は健康指導対象者の健康度に応じて指導時期を短くしたり長くしたりするのが好ましいが、この特許文献２のシステムでは、健康度の違いに応じた指導時期の調整は行われておらず、常に一定の頻度で健康指導が行われている。このため、健康度に応じた適切な健康指導を行えず画一的な指導になるという課題がある。
【０００８】
本発明は、上記のような課題を解決するためになされたものであり、健康指導対象者の健康情報に基づいて健康指導を行うタイミングを管理することにより、健康指導者が少人数の場合でも、多人数の健康指導対象者に対する個々の健康指導を常に適切なタイミングで行うことが可能な健康管理支援システムを提供することを目的とする。
【課題を解決するための手段】
【０００９】
上記の目的を達成するために、本発明の健康管理支援システムは、健康指導対象者の生体情報測定データ、健康診断データ、生活習慣データ等の健康情報を収集して蓄積する手段と、この蓄積された健康情報を保健師等の健康指導者や健康指導対象者が参照可能とする健康情報参照手段と、上記健康指導者が健康指導対象者に対する健康指導内容を登録する健康指導内容登録手段と、上記健康指導対象者が上記健康指導内容を参照可能とする健康指導内容参照手段と、上記健康指導対象者の健康度に応じて健康指導者が健康指導を行うべき適切なタイミングを決定する健康指導タイミング決定手段と、この健康指導タイミング決定手段で決定されたタイミングに応じて健康指導者に対して健康指導を行うべき旨を通知する健康指導タイミング通知手段と、を備えることを特徴としている。
【発明の効果】
【００１０】
本発明によれば、健康指導対象者の健康情報に基づいて健康指導を行うタイミングを管理することができるので、健康指導者が少人数の場合でも、多人数の健康指導対象者に対する個々の健康指導を常に適切な時期に行うことが可能となる。
【発明を実施するための最良の形態】
【００１１】
実施の形態１．
図１は本発明の実施の形態１における健康管理支援システムの全体構成を示すブロック図である。
【００１２】
この健康管理支援システムは、健康管理支援センタサーバ１、情報端末２、サービス端末３、健康診断サーバ４、生体情報測定端末５、生体情報測定機器６、およびネットワーク９により構成されている。
【００１３】
ここに、健康管理支援センタサーバ１は、例えば健康管理支援会社などに設置されていて、健康情報の収集、蓄積、管理、各種サービスの提供を行うものである。また、情報端末２は、健康指導対象者が健康管理支援センタサーバ１に蓄積された健康情報や保健師等の健康指導者の健康指導内容を画面で参照したり、生活習慣情報や問診による健康情報、性別、年齢等の個人情報を入力するためのものである。サービス端末３は、健康指導者が健康管理支援センタサーバ１から健康指導対象者の個人情報、健康情報を参照したり、健康指導内容の登録などを行うものである。健康診断サーバ４は、例えば病院や診療所などの健康診断センタに設置されていて、健康指導対象者の健康診断結果の情報が格納されている。
【００１４】
生体情報測定端末５は、生体情報測定機器６で測定された生体測定データを健康管理支援センタサーバ１に送信するものである。なお、この生体情報測定端末５は、情報端末２と兼用することも可能である。また、生体情報測定機器６は、体重計６１、血圧計６２、歩数計６３など、健康指導対象者の健康状態を測定するもので、それぞれ生体情報測定端末５に接続されている。
【００１５】
ネットワーク９は、社内ネットワーク、公衆回線やインターネットと各機器を接続してネットワークを構成するためのモデム等を有しており、また、通信方式は有線、無線を問わない。また、通信プロトコルも汎用技術を用いることができる。
【００１６】
上記の健康管理支援センタサーバ１は、健康情報や個人情報を蓄積するための健康情報データベース１１、健康指導内容を蓄積するための健康指導内容データベース１２、健康診断サーバ４、生体情報測定端末５、情報端末２から健康情報を収集する健康情報収集手段１３、収集された健康情報を健康情報データベース１１に蓄積する健康情報蓄積手段１４、健康指導対象者や健康指導者に健康指導対象者の健康情報を提供する健康情報参照手段１５、健康指導者によってサービス端末３から入力される健康指導内容を健康指導内容データベース１２に登録する健康指導内容登録手段１６、健康指導対象者に健康指導内容を提供する健康指導内容参照手段１７、健康指導対象者の健康度に応じて健康指導者が健康指導を行うべき適切なタイミングを決定する健康指導タイミング決定手段１８、この健康指導タイミング決定手段１８で決定されたタイミングで健康指導者に対して健康指導を行う時期である旨を通知する健康指導タイミング通知手段１９、および、健康指導対象者が健康指導内容を自由に閲覧できるように健康指導内容データベース１２に健康指導内容が登録されたことを健康指導対象者に通知する健康指導内容登録通知手段２０から構成されている。なお、健康情報収集手段１３は、ネットワーク９を介して健康情報を収集する他に、直接入力したり、あるいは用紙に記載された内容をＯＣＲ等を利用して読み取るようにしてもよい。
【００１７】
次に、上記構成を備えた健康管理支援システムの動作について、図２に示すフローチャートを参照して説明する。なお、以降において符号Ｓは各処理ステップを意味する。
【００１８】
健康指導対象者が病院や診療所などの健康診断センタで健康診断を受けた結果は、健康診断データとして健康診断サーバ４に蓄積される（Ｓ１１１）。また、健康指導対象者が体重計６１、血圧計６２、歩数計６３等の生体情報測定機器６で測定した生体情報は、生体情報測定端末５に送られる（Ｓ１２）。さらに、健康指導対象者は、健康端末２により生活習慣情報や問診による健康情報や性別、年齢等の個人情報を入力する（Ｓ１３）。
【００１９】
そして、健康診断サーバ４に蓄積された健康診断データ、生体情報測定機器６で測定した生体情報測定データ、および健康指導対象者が健康端末２から入力を行った生活習慣情報や問診による健康情報は、ネットワーク９を介して健康管理支援センタサーバ１に送信される（Ｓ１４）。
【００２０】
健康管理支援センタサーバ１の健康情報収集手段１３は、こうして送信された健康情報を収集し（Ｓ１５）、健康情報蓄積手段１４により健康情報データベース１１にそれぞれ蓄積される（Ｓ１６）。
【００２１】
健康指導タイミング決定手段１８は、健康情報データベース１１された健康情報を定期的に参照し、その健康情報と健康評価の項目毎に予め設定されている基準値（例えば各健康評価項目における健康度の標準的管理指標として設定された値）とを比較し、両者の差分の大小に基いて次回に健康指導者が健康指導を行うべき適切なタイミングを決定する（Ｓ１９）。例えば、健康情報と基準値との差分が大きくなっているときには健康度が悪くなっていると判断し、次回に健康指導者が健康指導を行うべきタイミングを前回より早める。また、健康情報と基準値との差分が小さくなっているときには健康度が改善されていると判断し、次回に健康指導者が健康指導を行うべきタイミングを前回より遅らせる。
【００２２】
こうして、健康指導タイミング決定手段１８により決定された健康指導のタイミングに到達すると、健康指導タイミング通知手段１９は、このタイミングに応じて健康指導者に対して健康指導を行うようにネットワーク９を介してサービス端末３に通知する（Ｓ２０）。
【００２３】
この通知を受けた健康指導者がサービス端末３から健康管理支援センタサーバ１に対して健康指導対象者の健康情報の取得要求を出すと、これに応じて、健康情報参照手段１５は、健康指導対象者の健康情報をサービス端末３に送信する。そして、健康指導者は、サービス端末３に表示された健康情報を参照して、サービス端末３から健康指導対象者に対する健康指導内容を入力する。この健康指導内容の情報は、ネットワーク９を介して健康管理支援センタサーバ１に送信されるので、健康指導内容登録手段１６によって健康指導内容データベース１２に登録される（Ｓ２１）。
【００２４】
この健康指導内容が健康指導内容データベース１２に登録されると、健康指導内容登録通知手段２０は、健康指導内容が登録されたことをネットワーク９を介して情報端末２に送信して健康指導対象者に通知する（Ｓ２２）。この通知を受け取った健康指導対象者は、情報端末２から健康管理支援センタサーバ１に対して健康指導内容の情報取得要求を出すと、これに応じて、健康指導内容参照手段１７は、健康指導内容データベース１２に登録された健康指導内容を読み出し、この健康指導の内容をネットワーク９を介して情報端末２に出力する。これにより、健康指導対象者は、情報端末２に表示された健康指導内容を参照することができる（Ｓ２３）。
【００２５】
以上のように、この実施の形態１では、健康情報データベース１１に蓄積された健康指導対象者の健康情報を定期的に参照し、その健康情報と健康評価の項目毎に予め設定されている基準値との差分に基いて健康指導者が次回に健康指導を行うべきタイミングを決定するので、健康指導者は、健康指導対象者の健康度に応じた適切なタイミングで健康指導を行うことができる。したがって、健康指導者が少人数であっても、健康指導者が一度に処理すべき健康指導対象者の数を調整することが可能になる。しかも、健康指導対象者の健康状態が悪い場合には短周期で優先的に健康指導を行うことができる。
【００２６】
実施の形態２．
図３は本発明の実施の形態２における健康管理支援システムの全体構成を示すブロック図であり、図１に示した実施の形態１と対応する構成部分には同一の符号を付す。
【００２７】
上述した実施の形態１では、健康指導タイミング決定手段１８は、健康情報と健康情報毎の基準値との差分に基いて健康指導者が次回に健康指導を行うタイミングを決定している。
【００２８】
これに対して、この実施の形態２の健康管理支援システムでは、実施の形態１の構成に加えて、健康度算出手３１、および健康度算出テーブル３２を備えている。
【００２９】
健康度算出手３１は、測定値、自覚症状、生活習慣、食生活、運動習慣、喫煙といった項目毎に健康度の評価点数を割り付けるなどの指標化を行った上で、各項目の評価点数の総和を求めるなどして、現在の健康状態を指標化した健康度を算出するものである。また、健康度算出テーブル３２には、各項目毎に割り付ける健康度の評価点数や、各評価点数の総和を求める算出式などが予め登録されている。そして、健康指導タイミング決定手段１８は、この健康度算出手３１で算出された健康度に基いて健康指導者が次回に健康指導を行うタイミングを決定するようにしている。
その他の構成は、実施の形態１の場合と同様であるから、ここでは詳しい説明は省略する。
【００３０】
次に、上記構成を備えた健康管理支援システムの動作について、図４に示すフローチャートを参照して説明する。
【００３１】
この実施の形態２において、各健康情報が健康管理支援センターサーバ１によって収集されて健康情報データベース１１に蓄積されるまでの動作（Ｓ１１〜Ｓ１６）は、実施の形態１の場合と同様であるから、説明は省略する。
【００３２】
そして、この実施の形態２では、健康度算出手３１は、健康情報データベース１１に蓄積された健康情報を参照しながら、予め健康度算出テーブル３２に登録されている算出式に基づいて、測定値、自覚症状、生活習慣、食生活、運動習慣、喫煙といった項目毎に健康度の評価点数を割り付けるなどの指標化を行った上で、各項目の評価点数の総和を求めて現在の健康状態を指標化した健康度を算出する（Ｓ１７）。
【００３３】
次いで、健康指導タイミング決定手段１８は、この健康度算出手３１で算出された現在の健康状態を指標化した健康度に基づいて、健康指導者が次回に健康指導を行うタイミングを決定する（Ｓ１９）。
このようにして健康指導のタイミングが決定された以降の動作（Ｓ２０〜Ｓ２３）は、実施の形態１で述べた場合と同様であるから、ここでは詳しい説明は省略する。
【００３４】
以上のように、この実施の形態２では、健康度算出手３１が項目毎に健康度の評価点数を割り付けるなどの指標化を行った上で各項目の評価点数の総和を求めるなどして、現在の健康状態を指標化した健康度を算出するので、算出された健康度は常に客観的な評価値をもつ。このため、健康指導者が次回に健康指導を行うタイミングをより一層適切に決定することができる。
【００３５】
実施の形態３．
図５は本発明の実施の形態３における健康管理支援システムの全体構成を示すブロック図であり、図３に示した実施の形態２と対応する構成部分には同一の符号を付す。
【００３６】
上述した実施の形態２では、健康度算出手段３１によって健康情報データベース１１に蓄積された健康情報に基づいて健康状態を評価点数等によって指標化した健康度を算出し、健康指導タイミング決定手段１９がこの算出された健康度から次回に健康指導を行うタイミングを決定するようにしている。
【００３７】
これに対して、この実施の形態３の健康管理支援システムでは、実施の形態２の構成に加えて、さらに健康度算出手段３１で算出された健康度に基づいて健康度と健康情報統計から疾病リスクを算出する疾病リスク算出手段３３が設けられている。そして、健康指導タイミング決定手段１８は、この疾病リスク算出手３３で算出された疾病リスクに基いて健康指導者が次回に健康指導を行うタイミングを決定するようにしている。
その他の構成は、実施の形態２の場合と同様であるから、ここでは詳しい説明は省略する。
【００３８】
次に、上記構成を備えた健康管理支援システムの動作について、図６に示すフローチャートを参照して説明する。
【００３９】
この実施の形態３において、各健康情報が、健康管理支援センタサーバ１によって収集されて健康情報データベース１１に蓄積され、続いて、健康度算出手段３１によって現在の健康状態を指標化した健康度が算出されるまでの動作（Ｓ１１〜Ｓ１７）は、実施の形態２の場合と同様であるから、説明は省略する。
【００４０】
そして、この実施の形態３では、健康度算出手段３１で算出された健康度は、疾病リスク算出手段３３に与えられる。疾病リスク算出手段３３は、健康度算出手段３１により得られた現在の健康状態を指標化した健康度と、健康指導対象者の過去から現在に至るまでに蓄積された健康情報を統計処理した健康情報統計とに基づいて、健康指導対象者の将来の健康度を予測した疾病リスクを算出する（Ｓ１８）。そして、健康指導タイミング決定手段１８は、疾病リスク算出手段３３によって算出された疾病リスクに基いて、健康指導者が次回に健康指導を行うタイミングを決定する（Ｓ１９）。
このようにして健康指導のタイミングが決定された以降の動作（Ｓ２０〜Ｓ２３）は、実施の形態１，２で述べた場合と同様であるから、ここでは詳しい説明は省略する。
【００４１】
以上のように、この実施の形態３によれば、健康指導者が健康指導を行うタイミングが、現在の健康状態を指標化した健康度と、過去から現在に至るまでに蓄積された健康情報を統計処理した健康情報統計とから算出した疾病リスクを利用して行うので、疾病リスクが高い健康指導対象者に対しては健康指導を行うタイミングが早められるので、疾病が深刻になる前に予め極め細かい健康指導を行って疾病に深刻になるのを防ぐことができる。このため、疾病によってかかる費用を低減することが可能になる。
【００４２】
実施の形態４．
図７は本発明の実施の形態４における健康管理支援システムにおける健康管理支援センタサーバ１の構成を示すブロック図であり、図５に示した実施の形態３と対応する構成部分に同一の符号を付す。
【００４３】
上述した実施の形態１〜３では、健康情報、健康度、あるいは疾病リスクに基づいて健康指導タイミング決定手段１８が健康指導者が健康指導を行うタイミングを決定するようにしている。
【００４４】
これに対して、この実施の形態４の健康管理支援システムでは、実施の形態３の構成に加えて、異常検知閾値設定手段３４、健康情報監視手段３５、健康情報緊急度算出手段３７、および健康指導タイミング調整手段３８が設けられている。そして、健康情報緊急度算出手段３７で算出される緊急度に応じて、健康指導タイミング調整手段３３によって、健康指導タイミング決定手段１８で決定された健康指導を行うタイミングが早まるように調整するようにしている。
その他の構成は、実施の形態３の場合と同様であるから、ここでは詳しい説明は省略する。
【００４５】
次に、上記構成を備えた健康管理支援システムの動作について、図８に示すフローチャートを参照して説明する。
【００４６】
この実施の形態４において、各健康情報が、健康管理支援センタサーバ１によって収集されて健康情報データベース１１に蓄積され、続いて、疾病リスクが算出され、さらに健康指導タイミング決定手段１８が疾病リスクに基づいて健康指導を行うタイミングを決定するまでの動作（Ｓ３１，すなわち図６のＳ１１〜Ｓ１９）は、実施の形態３で述べた場合と同様であるから詳しい説明は省略する。
【００４７】
一方、異常検知閾値設定手段３４には、日々収集される健康情報に対して異常状態と判断するための健康管理指標に基づく異常検知閾値が予め設定されている（Ｓ３２）。
【００４８】
健康情報監視手段３５は、生体情報測定機器６で得られる健康指導対象者の日々の健康情報を定期的に監視する（Ｓ３３）。すなわち、健康情報監視手段３５は、生体情報測定機器６から生体情報測定端末５を介して送られてくる健康指導対象者に関する健康情報を、異常検知閾値設定手段３４によって予め設定された異常検知閾値と比較する。そして、健康情報が異常検知閾値を越えて異常値になったことが検知された場合には（Ｓ３４）、この異常値検知を健康指導緊急度算出手段３７に通知する（Ｓ３７）。
【００４９】
これに応じて、健康指導緊急度算出手段３７は、検知された異常値と正常値との乘離から健康指導の緊急度を算出する。すなわち、健康指導緊急度算出手段３７は、健康指導対象者の過去から現在に至るまでの健康情報の経時的傾向（トレンド）、ならびに異常値と異常検知閾値との差分値を参照して健康指導の緊急度を算出する（Ｓ３８）。
【００５０】
続いて、健康指導タイミング調整手段３８は、健康指導緊急度算出手段３７で算出された緊急度に応じて、先に健康指導タイミング決定手段１８によって決定された健康指導のタイミングがさらに早まるように調整する（Ｓ３９）。
このようにして健康指導のタイミングが決定された以降の動作（Ｓ４０、すなわち図６のＳ２０〜Ｓ２３）は、実施の形態１〜３で述べた場合と同様であるから、ここでは詳しい説明は省略する。
【００５１】
以上のように、この実施の形態４によれば、健康情報、健康度、疾病リスクに基づいて健康指導タイミング決定手段１８が健康指導を行うタイミングを一旦決定した場合でも、健康情報監視手段３５によって日々収集される健康情報が異常状態になったことが検知された場合には、これに応じて健康指導タイミング調整手段３８は、健康指導を行うタイミングがより早くなるように調整するため、健康異常が発生した時の指導を一層適切に行うことができる。
【００５２】
実施の形態５．
図９は本発明の実施の形態５における健康管理支援システムの健康管理支援センタサーバーの構成を示すブロック図であり、図７に示した実施の形態４と対応する構成部分には同一の符号を付す。
【００５３】
上述した実施の形態４では、健康情報監視手段３５によって日々収集される健康情報が異常状態になったことが検知された場合には、健康指導タイミング調整手段３３によって健康指導タイミング決定手段１８で決定される健康指導を行うタイミングが早まるように調整している。
【００５４】
これに対して、実施の形態５の健康管理支援システムでは、実施の形態４の構成に加えて、日々の健康情報が異常状態から正常状態に回復したことを検知する異常解消検知手段３９を設けている。そして、この異常解消検知手段３９により異常解消されていることが検知された場合には、健康指導タイミング調整手段３３により健康指導タイミング決定手段１８で決定される健康指導を行うタイミングが遅れるように調整するようにしている。  その他の構成は、実施の形態４の場合と同様であるから、ここでは詳しい説明は省略する。
【００５５】
次に、上記構成を備えた健康管理支援システムの動作について、図１０に示すフローチャートを参照して説明する。
【００５６】
この実施の形態５においても、実施の形態４の場合と同様に、健康情報監視手段３５は、生体情報測定機器６で得られる健康指導対象者の日々の健康情報を定期的に監視する（Ｓ３３）。そして、健康情報が異常検知閾値設定手段３４で設定された異常検知閾値を越えて異常値になったことを検知した場合には（Ｓ３４）、この異常値検知を健康指導緊急度算出手段３７に通知する（Ｓ３７）。これに応じて、健康指導緊急度算出手段３７は、健康指導対象者の過去から現在に至るまでの健康情報の経時的傾向（トレンド）、および異常値と異常検知閾値の差分値を参照して健康指導の緊急度を算出する（Ｓ３８）。健康指導タイミング調整手段３８は、この算出された緊急度に応じて、先に健康指導タイミング決定手段１８によって決定された健康指導のタイミングがさらに早まるように調整する（Ｓ３９）。
【００５７】
さらに、この実施の形態５において、異常解消検知手段３９は、Ｓ３４において健康情報監視手段３５によって健康情報の異常が検知されない場合には、健康情報を異常検知閾値と比較し、健康情報が異常検知閾値以下に低下して正常域まで回復したことが検知された場合には（Ｓ３５）、正常値に復帰したことを健康指導緊急度算出手段３７に通知する（Ｓ３６）。
【００５８】
これに応じて、健康指導緊急度算出手段３７は、健康指導対象者の過去から現在に至るまでの健康情報の経時的傾向（トレンド）、および正常値と異常検知閾値との差分値を参照して健康指導の緊急度を算出する（Ｓ３８）。
【００５９】
続いて、健康指導タイミング調整手段３８は、健康指導緊急度算出手段３７で算出された緊急度に応じて、先に健康指導タイミング決定手段１８によって決定された健康指導のタイミングが遅くなるように調整する（Ｓ３９）。
このようにして健康指導のタイミングが決定された以降の動作（Ｓ４０、すなわち図６のＳ２０〜Ｓ２３）は、実施の形態４で述べた場合と同様であるから、ここでは詳しい説明は省略する。
【００６０】
以上のように、この実施の形態５によれば、異常解消検知手段３９によって、日々の健康情報が異常状態から正常状態に回復したことが検知された場合には、これに応じて健康指導タイミング調整手段３３は、健康指導タイミング決定手段１８で決定される健康指導を行うタイミングが遅くなるように調整するので、疾病リスクが軽減された健康指導対象者への指導回数を少なくすることができる。その結果、健康指導者の健康指導の負担を軽減することができる。
【００６１】
実施の形態６．
図１１は本発明の実施の形態６における健康管理支援システムの健康管理支援センタサーバーの構成を示すブロック図であり、図９に示した実施の形態５と対応する構成部分には同一の符号を付す。
【００６２】
上述した実施の形態４，５では、健康情報監視手段３５および異常解消検知手段３９を設けることにより、健康異常が検知された場合や健康異常が解消された場合には、これに応じて健康指導タイミング調整手段３３が健康指導タイミング決定手段１８で決定される健康指導を行うタイミングを調整するようにしている。
【００６３】
これに対して、実施の形態６の健康管理支援システムでは、実施の形態５の構成において、健康指導のタイミングが決定された健康指導対象者が同時に複数人存在する場合に対処するため、複数人の健康指導対象者に対して健康状態に応じて優先度付けを行う健康指導対象者優先度付け手段４０と、この健康指導対象者優先度付け手段４０で優先度付けされた健康指導対象者を健康指導対象者リスト４２に登録する健康指導対象者リスト登録手段４１とを備えている。そして、健康指導タイミング通知手段１９は、健康指導対象者リスト４２の内容を健康指導者に対して通知するようにしている。
その他の構成は、実施の形態５の場合と同様であるから、ここでは詳しい説明は省略する。
【００６４】
次に、上記構成を備えた健康管理支援システムの動作について、図１２に示すフローチャートを参照して説明する。
【００６５】
この実施の形態６において、健康情報が、健康情報データベース１１に蓄積され、健康指導タイミング調整手段３８によって健康指導のタイミングが調整されるまでの動作（Ｓ５１、すなわち図１０のＳ３１〜Ｓ３９）は、実施の形態５で述べた場合と同様であるから詳しい説明は省略する。
【００６６】
ここで、健康指導タイミング決定手段１８によって健康指導のタイミングが決定された際に、健康指導のタイミングが同じになった健康指導対象者が複数人存在するときには、健康指導対象者優先度付け手段４０によって、それらの健康指導対象者の内から優先度を割り付ける（Ｓ５２）。
【００６７】
すなわち、健康指導対象者優先度付け手段４０は、健康度算出手段３１によって算出された健康度に対して、健康情報と基準値との差分値に応じた重み付け係数を掛けて健康指導対象者の優先度を割り付ける。
【００６８】
そして、健康指導対象者リスト登録手段４１は、健康指導対象者優先度付け手段４０で割り付けられた優先度の順に健康指導対象者を健康指導指導対象者リスト４２に登録する。そして、健康指導タイミング通知手段１９は、この健康指導対象者リスト４２の内容を健康指導者に通知する（Ｓ５３）。したがって、健康指導者は、健康指導者対象者リスト４２に登録された順位に従って健康指導対象者を選択して健康指導を行う（Ｓ５４）。
【００６９】
以上のように、この実施の形態６によれば、健康指導タイミング決定手段１８によって健康指導のタイミングが決定された場合の健康指導対象者が複数人いる場合には、健康指導対象者リスト４２の内容を見て、その複数人の健康指導対象者の内から健康状態に応じて優先的に健康指導を受けるべき人が自ずと決定されるため、健康指導を一層適切に行うことができるとともに、健康指導者が健康指導のスケジュールを容易に立てることができるため、余分な負担を軽減することができる。
【００７０】
なお、この実施の形態６では、健康度算出手段３１によって算出された健康度に応じて健康指導対象者に対する優先度付けを行っているが、これに限らず、例えば、疾病リスク、あるいは健康指導緊急度に応じて健康指導対象者に対する優先度付けを行ってもよい。また、この実施の形態６では、健康度算出手段３１によって算出された健康度に対して、健康情報と基準値との差分値に応じた重み付け係数を掛けて優先度を割り付けているが、健康度、疾病リスク、健康指導緊急度をそのまま優先度として採用してもよい。
【図面の簡単な説明】
【００７１】
【図１】本発明の実施の形態１における健康管理支援システムの全体構成を示すブロック図である。
【図２】同健康管理支援システムの動作説明に供するフローチャートである。
【図３】本発明の実施の形態２における健康管理支援システムの全体構成を示すブロック図である。
【図４】同健康管理支援システムの動作説明に供するフローチャートである。
【図５】本発明の実施の形態３における健康管理支援システムの全体構成を示すブロック図である。
【図６】同健康管理支援システムの動作説明に供するフローチャートである。
【図７】本発明の実施の形態４における健康管理支援システムの健康管理支援センタサーバの構成を示すブロック図である。
【図８】同健康管理支援システムにおける健康管理支援センタサーバの動作説明に供するフローチャートである。
【図９】本発明の実施の形態５における健康管理支援システムの健康管理支援センタサーバの構成を示すブロック図である。
【図１０】同健康管理支援システムにおける健康管理支援センタサーバの動作説明に供するフローチャートである。
【図１１】本発明の実施の形態６における健康管理支援システムの健康管理支援センタサーバの構成を示すブロック図である。
【図１２】同健康管理支援システムにおける健康管理支援センタサーバの動作説明に供するフローチャートである。
【符号の説明】
【００７２】
１  健康管理支援センタサーバ、１１  健康情報データベース、
１２  健康指導内容データベース、１３  健康情報収集手段、１４  健康情報蓄積手段、
１５  健康情報参照手段、１６  健康指導内容登録手段、１７  健康指導内容参照手段、
１８  健康指導タイミング決定手段、１９  健康指導タイミング通知手段、
３１  健康度算出手段、３３  疾病リスク算出手段、３４  異常検知閾値設定手段、
３５  健康情報監視手段、３８  健康指導タイミング調整手段、
３９  異常解消検知手段、４０  健康指導対象者優先度付け手段、
４１  健康指導対象者リスト登録手段、４２  健康指導対象者リスト。
【図１】
2006235938.tif 000003
【図２】
2006235938.tif 000004
【図３】
2006235938.tif 000005
【図４】
2006235938.tif 000006
【図５】
2006235938.tif 000007
【図６】
2006235938.tif 000008
【図７】
2006235938.tif 000009
【図８】
2006235938.tif 000010
【図９】
2006235938.tif 000011
【図１０】
2006235938.tif 000012
【図１１】
2006235938.tif 000013
【図１２】
2006235938.tif 000014